【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
有価価値を特定可能な情報が記録された遊技者所有の記録媒体を受付けて、該受付けた記録媒体により特定される有価価値から引き落とされた引落有価価値の大きさに相当する引落持点を使用した遊技を可能にするための処理をする処理手段と、
前記記録媒体が受付けられている受付期間における前記引落持点の総数が、遊技に使用された持点の総数よりも所定数以上多いか否かを、前記受付期間において定期的に判定する判定手段と、
該判定手段により前記引落持点の総数が遊技に使用された持点の総数よりも所定数以上多いと判定された場合に、前記判定手段により前記引落持点の総数が遊技に使用された持点の総数よりも所定数以上多くないと判定されるまでの間、その旨を報知する報知手段とを含むことを特徴とする、遊技用装置。
【請求項２】
有価価値を特定可能な情報が記録された遊技者所有の記録媒体を受付けて、該受付けた記録媒体により特定される有価価値から引き落とされた引落有価価値の大きさに相当する引落持点を使用した遊技を可能にするための処理をする処理手段と、
前記記録媒体が受付けられている受付期間における前記引落持点の総数が、遊技に使用された持点の総数よりも所定数以上多いか否かを判定する判定手段と、
該判定手段により前記引落持点の総数が遊技に使用された持点の総数よりも所定数以上多いと判定された場合に、前記記録媒体の排出を不能動化する不能動化手段とを含むことを特徴とする、遊技用装置。
【手続補正２】
【補正対象書類名】明細書
【補正対象項目名】０００１
【補正方法】変更
【補正の内容】
【０００１】
【発明の属する技術分野】
本発明は、遊技用装置に関し、詳しくは、有価価値を特定可能な情報が記録された遊技者所有の記録媒体を受付けて、該受付けた記録媒体により特定される有価価値から引き落とされた引落有価価値の大きさに相当する引落持点を使用した遊技を可能にするための処理をする処理手段を含む遊技用装置に関する。
【手続補正３】
【補正対象書類名】明細書
【補正対象項目名】０００２
【補正方法】変更
【補正の内容】
【０００２】
【従来の技術】
この種の遊技用装置として従来から一般的に知られているものに、たとえば、有価価値を特定可能な情報が記録された遊技者所有の記録媒体を受付けて、該受付けた記録媒体により特定される有価価値から引き落とされた引落有価価値の大きさに相当する引落持点を使用した遊技を可能にするための処理をする処理手段を含む遊技用装置があった。そして、たとえば遊技者が前記有価価値の引落操作を行なうと前記有価価値から所定の大きさの引落有価価値が減算更新され、前記引落有価価値の大きさに相当する引落持点を使用した遊技が可能となるように構成されていた。
【手続補正４】
【補正対象書類名】明細書
【補正対象項目名】０００８
【補正方法】変更
【補正の内容】
【０００８】
【課題を解決するための手段】
請求項１に記載の本発明は、有価価値を特定可能な情報が記録された遊技者所有の記録媒体を受付けて、該受付けた記録媒体により特定される有価価値から引き落とされた引落有価価値の大きさに相当する引落持点を使用した遊技を可能にするための処理をする処理手段と、
前記記録媒体が受付けられている受付期間における前記引落持点の総数が、遊技に使用された持点の総数よりも所定数以上多いか否かを、前記受付期間において定期的に判定する判定手段と、
該判定手段により前記引落持点の総数が遊技に使用された持点の総数よりも所定数以上多いと判定された場合に、前記判定手段により前記引落持点の総数が遊技に使用された持点の総数よりも所定数以上多くないと判定されるまでの間、その旨を報知する報知手段とを含むことを特徴とする。
【手続補正５】
【補正対象書類名】明細書
【補正対象項目名】０００９
【補正方法】変更
【補正の内容】
【０００９】
請求項２に記載の本発明は、有価価値を特定可能な情報が記録された遊技者所有の記録媒体を受付けて、該受付けた記録媒体により特定される有価価値から引き落とされた引落有価価値の大きさに相当する引落持点を使用した遊技を可能にするための処理をする処理手段と、
前記記録媒体が受付けられている受付期間における前記引落持点の総数が、遊技に使用された持点の総数よりも所定数以上多いか否かを判定する判定手段と、
該判定手段により前記引落持点の総数が遊技に使用された持点の総数よりも所定数以上多いと判定された場合に、前記記録媒体の排出を不能動化する不能動化手段とを含むことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
【作用】
請求項１に記載の本発明によれば、処理手段の働きにより、受付けられた記録媒体により特定される有価価値から引き落とされた引落有価価値の大きさに相当する引落持点を使用した遊技を可能にするための処理がなされる。判定手段の働きにより、前記記録媒体が受付けられている受付期間における前記引落持点の総数が、遊技に使用された持点の総数よりも所定数以上多いか否かが前記受付期間において定期的に判定される。該判定手段により前記引落持点の総数が遊技に使用された持点の総数よりも所定数以上多いと判定された場合に、前記判定手段により前記引落持点の総数が遊技に使用された持点の総数よりも所定数以上多くないと判定されるまでの間、報知手段の働きにより、その旨が報知される。
【手続補正１０】
【補正対象書類名】明細書
【補正対象項目名】００１４
【補正方法】変更
【補正の内容】
【００１４】
請求項２に記載の本発明によれば、処理手段の働きにより、受付けられた記録媒体により特定される有価価値から引き落とされた引落有価価値の大きさに相当する引落持点を使用した遊技を可能にするための処理がなされる。判定手段の働きにより、前記記録媒体が受付けられている受付期間における前記引落持点の総数が、遊技に使用された持点の総数よりも所定数以上多いか否かが前記受付期間において定期的に判定される。該判定手段により前記引落持点の総数が遊技に使用された持点の総数よりも所定数以上多いと判定された場合に、不能動化手段の働きにより、前記記録媒体の排出が不能動化される。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００７９
【補正方法】変更
【補正の内容】
【００７９】
【課題を解決するための手段の具体例の効果】
請求項１に関しては、前記記録媒体が受付けられている受付期間における前記引落持点の総数が遊技に使用された持点の総数よりも所定数以上多いか否かを判定可能であるために、有価価値を特定可能な情報が不正に改変された記録媒体を利用して前記引落持点が引落されている可能性の有無を判定可能となる。しかも、前記引落持点の総数が遊技に使用された持点の総数よりも所定数以上多い旨が報知されるので、前記有価価値を特定可能な情報が不正に改変された記録媒体が利用されている可能性のあることを把握可能となる。
【手続補正１５】
【補正対象書類名】明細書
【補正対象項目名】００８０
【補正方法】変更
【補正の内容】
【００８０】
請求項２に関しては、前記記録媒体が受付けられている受付期間における前記引落持点の総数が遊技に使用された持点の総数よりも所定数以上多いか否かを判定可能であるために、有価価値を特定可能な情報が不正に改変された記録媒体を利用して前記引落持点が引落されている可能性の有無を判定可能となる。しかも、前記引落持点の総数が遊技に使用された持点の総数よりも所定数以上多い場合に前記記録媒体処理装置の排出が不能動化されるので、不正による情報が記録されていると思われる記録媒体を排出し使用する行為を阻止可能となる。
【手続補正１６】
【補正対象書類名】明細書
【補正対象項目名】００８１
【補正方法】削除
【補正の内容】
【手続補正１７】
【補正対象書類名】明細書
【補正対象項目名】００８２
【補正方法】削除
【補正の内容】
【手続補正１８】
【補正対象書類名】明細書
【補正対象項目名】００８３
【補正方法】削除
【補正の内容】